(57)【特許請求の範囲】
【請求項１】
長さ方向に相対移動可能な第１及び第２のスライド部材と、これらスライド部材の何れか一方に保持されるストッパユニットとを備えたスライド式長さ調節構造を有する担ぎ用具において、
前記ストッパユニットは、何れか他方のスライド部材の長さ方向に複数段形成された被係合部に選択的に係合する係合部材と、この係合部材と被係合部との係合を押圧操作で解除可能な屈曲片状の操作部とを備え、当該操作部を押圧操作することで第１及び第２のスライド部材の全体長さが調節されることを特徴とする担ぎ用具。
【請求項２】
前記ストッパユニットは、前記係合部材を被係合部に係合させる方向に付勢する付勢部材を含むことを特徴とする請求項１記載の担ぎ用具。
【請求項３】
前記長さ方向に略直交する方向における第１及び第２のスライド部材の相対移動を規制する規制部を設けたことを特徴とする請求項１又は２記載の担ぎ用具。
【請求項４】
前記係合部材は複数設けられ、各係合部材と操作部は、前記長さ方向に略直交する横一列に配置されていることを特徴とする請求項１、２又は３記載の担ぎ用具。
【請求項５】
前記第１及び第２のスライド部材には、上下方向に延びる操作用貫通穴がそれぞれ形成され、
前記操作部は、前記各操作用貫通穴を挿通する基部領域と、この基部領域の先端側から屈曲して下方に延びる先端側領域とを備えていることを特徴とする請求項１ないし４の何れかに記載の担ぎ用具。
【発明の詳細な説明】
【０００１】
【発明の属する技術分野】
本発明は担ぎ用具に係り、更に詳しくは、長さ調節作業を簡単に行うことのできる担ぎ用具に関する。
【０００２】
【従来の技術】
鼓笛隊等の演奏に用いられる公知のマーチングキーボードとしては、例えば、図８に示されるものが知られている。このマーチングキーボード７０は、鍵盤７１やスピーカー７２等を含むキーボード本体７４と、このキーボード本体７４を支持した状態で演奏者Ｐに装着可能な担ぎ用具７５とを備えて構成されている。この担ぎ用具７５は、キーボード本体７４の高さ位置を調節するスライドユニット７８と、このスライドユニット７８の上部に取り付けられる左右一対の肩掛け部８０，８０とを備えている。スライドユニット７８は、図９に示されるように、高さ方向（同図中上下方向）に相対移動可能な第１及び第２のスライド部材８１，８２と、当該第１及び第２のスライド部材８１，８２を任意の相対高さ位置で固定する固定用ボルト８４とにより構成されている。図９中上側に位置する第１のスライド部材８１には、同図中上下二箇所に貫通穴８６，８６が形成されている一方、図９中下側に位置する第２のスライド部材８２には、同図中上下六箇所にねじ穴８７が形成されている。このように構成されたスライドユニット７８は、各貫通穴８６，８６を所定の二箇所のねじ穴８７，８７に合わせ、固定用ボルト８４，８４を貫通穴８６，８６及びねじ穴８７，８７に手でねじ込むことで、第１及び第２のスライド部材８１，８２の高さ方向の相対移動が規制されるようになっている。そして、キーボード本体７４の高さ位置を調節する際には、ねじ穴８７，８７の使用位置を変えればよく、これによって、第１及び第２のスライド部材８１，８２の全体高さ（全体長さ）を変化させることができる。
【０００３】
【発明が解決しようとする課題】
しかしながら、このような担ぎ用具７５にあっては、第１及び第２のスライド部材８１，８２の全体長さの調節時に二個の固定用ボルト８４，８４の脱着作業が必要となり、当該長さ調節作業が煩雑になるという不都合がある。特に、マーチングキーボード７０は、演奏者Ｐの行進に伴って使用されるのが一般的であるため、当該行進に伴う固定用ボルト８４の緩みを考慮して、当該固定用ボルト８４の締め付けトルクを更に大きくしなければならず、このことが、前記不都合を一層顕出化させる。また、第１及び第２のスライド部材８１，８２の全体長さを調節する際に、固定用ボルト８４を各スライド部材８１，８２側から一旦外さなければならず、これにより、固定用ボルト８４を紛失する虞もある。また、二箇所に用いられる各固定用ボルト８４，８４を手で回転可能にするためには、各固定用ボルト８４，８４の間に指先のアクセス空間が不可欠となり、各固定用ボルト８４，８４を相互に近接させるのに一定の制約が生じ、その結果、第１及び第２のスライド部材８１，８２の全体長さの調節範囲が狭くなるという不都合もある。
【０００４】
ところで、第１及び第２のスライド部材８１，８２の全体長さを調節する構造としては、図１０に示されるものも知られている。この構造は、図９のスライドユニット７８に対し、固定用ボルト８４を一箇所のみに装着し、第２のスライド部材８２に突設されたガイドピン９２が、第１のスライド部材８１の高さ方向複数箇所に形成された貫通穴９３の何れか一個に挿入されるようになっている。
【０００５】
しかしながら、このような構造にあっては、依然として、固定用ボルト８４で固定されるため、当該固定用ボルト８４の脱着に伴う前述の各種不都合を全て解決することができない。しかも、ガイドピン９２が貫通穴９３に挿抜される都合上、第１及び第２のスライド部材８１，８２は、前後方向（図１０中矢視Ｘ方向）の相対移動を許容する構造が必須となり、当該前後方向の相対移動の規制は、固定用ボルト８４の固定のみで行われることになる。ところが、第１及び第２のスライド部材８１，８２の前後方向が演奏者Ｐの行進時の進行方向となるため、一箇所のみの固定用ボルト８４の固定では、第１及び第２のスライド部材８１，８２の前後方向のガタツキを十分に抑制できないという不都合もある。
【０００６】
【発明の目的】
本発明は、このような不都合に着目して案出されたものであり、その目的は、第１及び第２のスライド部材の全体長さの調節作業を簡単に行うことができ、且つ、第１及び第２のスライド部材を固定する部材の紛失を防止可能な担ぎ用具を提供することにある。
【０００７】
また、本発明の他の目的は、第１及び第２のスライド部材のガタツキを防止することができる担ぎ用具を提供することにある。
【０００８】
【課題を解決するための手段】
前記目的を達成するため、本発明は、長さ方向に相対移動可能な第１及び第２のスライド部材と、これらスライド部材の何れか一方に保持されるストッパユニットとを備えたスライド式長さ調節構造を有する担ぎ用具において、
前記ストッパユニットは、何れか他方のスライド部材の長さ方向に複数段形成された被係合部に選択的に係合する係合部材と、この係合部材と被係合部との係合を押圧操作で解除可能な屈曲片状の操作部とを備え、当該操作部を押圧操作することで第１及び第２のスライド部材の全体長さが調節される、という構成を採っている。このような構成によれば、係合部材と被係合部との係合を押圧操作で解除することができるため、第１及び第２のスライド部材を固定用ボルト等でねじ込んで固定する従来構造よりも、第１及び第２のスライド部材の全体長さの調節を簡単に行うことができる。また、ストッパユニットが第１及び第２のスライド部材の何れか一方に保持されるため、第１及び第２のスライド部材の全体長さの調節作業時においても、ストッパユニットの紛失の虞を回避することができる。
【０００９】
【発明の実施の形態】
本発明におけるストッパユニットは、前記係合部材を被係合部に係合させる方向に付勢する付勢部材を含む、という構成を採ることが好ましい。このように構成することで、係合部材と被係合部との係合を一層強固に行うことができ、当該係合状態が不用意に解除され難くなる。また、係合部材と被係合部とに多少の位置ずれがあっても、係合部材の付勢によって係合部材と被係合部とを強制的に係合させることも可能になり、第１及び第２のスライド部材の全体長さの調節を一層簡単に行うことができる。
【００１０】
また、前記長さ方向に略直交する方向における第１及び第２のスライド部材の相対移動を規制する規制部を設ける、という構成も併せて採用することができる。これにより、第１及び第２のスライド部材のガタツキを効果的に防止することができる。
【００１１】
更に、前記係合部材は複数設けられ、各係合部材と操作部は、前記長さ方向に略直交する横一列に配置される、という構成を採用するとよい。このような構成により、第１及び第２のスライド部材の限られた長さでより細かい長さ調節が可能になる。
また、前記第１及び第２のスライド部材には、上下方向に延びる操作用貫通穴がそれぞれ形成され、
前記操作部は、前記各操作用貫通穴を挿通する基部領域と、この基部領域の先端側から屈曲して下方に延びる先端側領域とを備える、という構成も好ましくは採用される。
【００１２】
【実施例】
以下、本発明の実施例について図面を参照しながら説明する。
なお、以下において、「上」、「下」、「左」「右」、「前」、「後」等の位置的或いは方向的記載は、特に明示しない限り、マーチングキーボードを装着した図１の状態の演奏者を対面して見た場合における位置或いは方向について用いられる。
【００１３】
図１には、本発明に係るスライド式長さ調節構造が適用されたマーチングキーボードの概略斜視図が示されている。この図において、マーチングキーボード１０は、鍵盤１２やスピーカー１３を含むキーボード本体１５と、このキーボード本体１５を支持した状態で演奏者Ｐの身体に装着可能な担ぎ用具１６とを備えて構成されている。
【００１４】
前記キーボード本体１５は、例えば、実開平０６−０５００９４号等に記載されているように、鍵盤１２のキー操作に基づき図示しないアンプユニットを介してスピーカー１３から発音できる公知の構造が採用されている。このキーボード本体１５の構造は、本発明の要旨ではないため、ここでは、詳細な説明を省略する。
【００１５】
前記担ぎ用具１６は、キーボード本体１５を固定的に支持する支持フレーム１７と、この支持フレーム１７の後端側に固定されるとともに、演奏者Ｐの腹部付近に位置する腹当て部１８と、この腹当て部１８の左右略中央に固定されて支持フレーム１７の高さを調節するスライドユニット１９と、このスライドユニット１９の上部後端側に取り付けられた左右一対の肩掛け部２０，２０とを備えて構成されている。
【００１６】
前記スライドユニット１９は、図２及び図３に示されるように、肩掛け部２０，２０が固定される端面略Ｃ字状の角筒形状をなす第１のスライド部材２５と、この第１のスライド部材２５の内側に配置されて上下方向に相対移動可能に設けられるとともに、腹当て部１８が下端側に固定された端面略コ字状の第２のスライド部材２６と、当該第２のスライド部材２６の内側に取り付けられるストッパユニット２８と、第２のスライド部材２６の内側でストッパユニット２８を保持するストッパ保持手段３０とを備えて構成されている。このスライドユニット１９は、第１及び第２のスライド部材２５，２６を上下方向にスライドさせることで全体長さ（全体上下幅）を変化させ、支持フレーム１７と肩掛け部２０との上下離間距離を調節できるようになっている。
【００１７】
前記第１のスライド部材２５は、例えば、ジュラルミン等のアルミ合金によって形成されており、前方に表出する正面視略方形状の前部３２と、この前部３２の左右両端側から後方に延びる左右一対の側部３３，３３と、これら側部３３，３３の後端側から内向きに延びる一対の背部３４，３４とにより構成されている。前部３２には、略中央で上下方向に延びるスロット穴状の第１の操作用貫通穴３６と、この第１の操作用貫通穴３６の左右両側に対称配置される被係合部としての第１の係合用貫通穴３７，３７とが形成されている。当該第１の係合用貫通穴３７，３７は、特に限定されるものではないが、左右方向に延びる角穴状に形成され、上下方向に六段設けられている。各側部３３，３３は、それらの相対面間距離が第２のスライド部材２６の左右幅と略同一に設定されており、これによって、第１及び第２のスライド部材２５，２６を組み合わせた時における左右方向の相対移動が規制可能となる。また、背部３４，３４は、相互に略面一となるように配置され、前部３２との相対面間距離が第２のスライド部材２６の前後幅と略同一に設定されており、これによって、第１及び第２のスライド部材２５，２６の組み合わせた時における前後方向の相対移動が規制可能となる。従って、側部３３及び背部３４は、第１及び第２のスライド部材２５，２６の長さ方向に略直交する方向への相対移動を規制する規制部を構成することになる。なお、側部３３及び背部３４の少なくとも何れか一方を前述のサイズに設定し、左右方向若しくは前後方向の何れかの前記相対移動を規制する構成としてもよい。この場合は、演奏者Ｐの進行方向となる前後方向の前記相対移動を規制するとより効果的である。
【００１８】
前記第２のスライド部材２６は、特に限定されるものではないが、第１のスライド部材２５と同様の材料によって形成されており、前端側に位置する正面視略方形状の前部３９と、この前部３９の左右両端側から後方に延びる左右一対の側部４０，４０とにより構成されている。前部３９の上部領域には、略中央で上下方向に延びる角穴状の第２の操作用貫通穴４２と、この第２の操作用貫通穴４２の左右両側に対称配置されるとともに、左右方向に延びる角穴状に設けられた左右一対の第２の係合用貫通穴４３，４３とが形成されている。なお、前部３９の下部領域には、前記腹当て部１８を固定する角根丸頭ボルトＲの挿通穴４５，４５が上下方向二箇所に形成されている。
【００１９】
前記ストッパユニット２８は、図２に示されるように、左右両側の上端部分から前方に突出する片状の係合部材４７，４７と、これら係合部材４７，４７の間に位置する屈曲片状の操作部４８と、係合部材４７，４７及び操作部４８に一体に設けられてそれらの後端側から下向きに延びる片状の延長部５０と、この延長部５０の後面側に固定されるとともに、当該延長部５０から下向きに延びる板ばねからなる付勢部材５１とを備えて構成されている。なお、ストッパユニット２８は、特に限定されるものではないが、第１及び第２のスライド部材２５，２６よりも硬質の材料、例えば鉄等によって主に形成されている。
【００２０】
前記係合部材４７，４７は、図４及び図５に示されるように、第２のスライド部材２６に形成された第２の係合用貫通穴４３，４３に対して前後に出没するようになっており、第１のスライド部材２５に形成された第１の係合用貫通穴３７，３７の何れか一段に選択的に係合可能に設けられている。なお、係合部材４７，４７の上面は、先端（図４中左端）に向かってやや下方に傾斜する傾斜面状に形成されており、後述するように係合部材４７，４７が図４中矢印Ｒ方向に弧を描きながら退避するときに、各貫通穴３７，４３の内縁部分との干渉が回避可能に設けられている。
【００２１】
前記操作部４８は、図５及び図６に示されるように、前記延長部５０の上端側から前方に向かって下向きに傾斜しながら前方に突出する基部領域５３と、この基部領域５３の先端側から屈曲して内向きに傾斜しながら下方に延びる先端領域５４とにより構成されている。この操作部４８は、基部領域５３が第１及び第２の操作用貫通穴３６，４２に挿通され、通常時は基部領域５３と先端領域５４が第１の操作用貫通穴３６から前方に突出するようになっており、この状態から基部領域５３を押圧操作すると、後述するように、操作部４８が係合部材４７，４７とともに図６中矢印Ｒ方向に弧を描きながら退避し、係合部材４７，４７と第１の係合用貫通穴３７，３７との係合を解除できるようになっている。この際、基部領域５３が若干前屈みに傾斜しており、各第２の操作用貫通穴４２の内縁部分との干渉を回避できるようになっている。なお、本実施例では、係合部材４７，４７及び基部領域５３の各基端側が略同一の上下位置に設けられており、係合部材４７，４７及び操作部４８が略横一列（左右方向略一列）に配置されることとなる。
【００２２】
前記ストッパ保持手段３０は、図２、図６及び図７に示されるように、第２のスライド部材２６の側部４０，４０間に掛け渡される丸棒状の押え部材５６と、この押え部材５６よりも下方で前部３９の内面３９Ａに固定される受け部材５７により構成されている。押え部材５６は、内面３９Ａとの間に付勢部材５１を挟み込み可能に設けられている。受け部材５７は、側面視で略クランク状に形成されており、内面３９Ａに接触して固定される固定部５９と、この固定部５９の上部に連なって内面３９Ａとの間に隙間を形成するように配置されるとともに、付勢部材５１の下端側が固定されずに面接触して載る先端部６０とにより構成されている。つまり、ストッパ保持手段３０は、付勢部材５１の上下両端側を内面３９Ａから離れる方向に湾曲させた状態でストッパユニット２８を保持できるようになっている。このため、付勢部材５１は、係合部材４７，４７を第１の係合用貫通穴３７，３７に係合させる方向（前方）に付勢することとなる。一方、操作部４８も、通常時は付勢部材５１によって前方に付勢されて第１の操作用貫通穴３６から前方に突出するが、当該操作部４８に対する付勢力に抗して後方に押圧すると、係合部材４７，４７及び操作部４８は、押え部材５６を支点として後方（図４，図６中矢印Ｒ方向）に向かって弓なりに回転し、第１の係合用貫通穴３７，３７と係合部材４７，４７との係合を解除することになる。
【００２３】
なお、本実施例におけるストッパユニット２８は、図４〜図６に示されるように、第２のスライド部材２６に接着やねじ等で固定されておらず、係合部材４７，４７及び操作部４８が挿入される第２のスライド部材２６側の各貫通穴４２，４３に形成された隙間の範囲内で、第２のスライド部材２６に対して若干の移動を許容した状態でストッパ保持手段３０に保持されるようになっている。しかしながら、本発明はこれに限らず、ストッパユニット２８の下端側を第２のスライド部材２６に接着やねじ等で固定することもできる。但し、本実施例のようにすると、操作部４８を乱暴に操作したとき、若しくは、操作部４８に大きな衝撃が付与されたとき等に、係合部材４７に付与される衝撃を緩和させることが可能となる。
【００２４】
次に、前記マーチングキーボード１０における高さ調節の手順について説明する。
【００２５】
図１及び図３の状態では、係合部材４７，４７が第１の係合用貫通穴３７，３７の最下段側に係合しており、肩掛け部２０から鍵盤１２までの上下方向の離間距離が最大となっている。この状態から、当該離間距離を短くする場合、マーチングキーボード１０を所定の台（図示省略）等に設置した上で、付勢部材５１（図２等参照）の付勢力に抗して操作部４８を押圧操作し、当該操作部４８に一体に設けられた係合部材４７，４７を第１の係合用貫通穴３７，３７よりも後方に退避させる。これにより、当該第１の係合用貫通穴３７，３７と係合部材４７，４７との係合が解除され、第１及び第２のスライド部材２５，２６の上下方向の相対移動が許容される。そして、操作部４８を押圧したまま、第１のスライド部材２５を第２のスライド部材２６に対して下方にスライドし、肩掛け部２０から鍵盤１２までの上下方向の離間距離が所望の距離となるように、他の何れか一段の第１の係合用貫通穴３７，３７を係合部材４７，４７に合わせる。この状態で操作部４８の押圧操作を解除すると、付勢部材５１の付勢力によって、係合部材４７，４７と操作部４８とが前方に戻り、係合部材４７，４７が前記何れか一段の第１の係合用貫通穴３７，３７に係合する。この係合状態は、操作部４８を押圧操作しない限り維持される。なお、何れか一段の第１の係合用貫通穴３７，３７を係合部材４７，４７に合わせる際に、それらの上下位置が多少ずれていても、その状態で操作部４８の押圧操作を解除しても、係合部材４７，４７の付勢により、第１の係合用貫通穴３７，３７と係合部材４７，４７とを強制的に係合させることが可能となる。つまり、第１及び第２のスライド部材２５，２６が上下方向にスライド可能となる状態で操作部４８の押圧操作を解除しても、係合部材４７，４７の前方への付勢により、当該係合部材４７，４７に最も近い上段側若しくは下段側の第１の係合用貫通穴３７，３７に係合部材４７，４７を係合させることができる。ここでは、肩掛け部２０から鍵盤１２までの上下方向の離間距離を短くする場合の手順を説明したが、当該離間距離を長くする場合も同様の操作で行える。
【００２６】
従って、このような実施例によれば、従来構造のように固定用ボルト等で第１及び第２のスライド部材２５，２６を締結する構造ではないため、第１及び第２のスライド部材２５，２６の全体長さの調節を簡単に行うことができるという効果を得る。しかも、ストッパユニット２８が付勢部材５１で付勢されているため、第１及び第２のスライド部材２５，２６の上下方向における相対移動を確実に規制することができるという効果をも得る。
【００２７】
また、ストッパユニット２８は、第２のスライド部材２６に保持されているため、第１及び第２のスライド部材２５，２６の高さ調節の際にストッパユニット２８の取り外しが要求されず、当該取り外しに伴う部材の紛失の虞も効果的に回避できる。
【００２８】
更に、ストッパユニット２８は、係合部材４７及び操作部４８が第２のスライド部材２６の各貫通穴４２，４３に貫通した状態で保持されているため、スライドユニット１９から不用意に外れ難くすることができる。
【００２９】
なお、前記実施例では、第１のスライド部材２５に第１の係合用貫通穴３７を設ける一方、第２のスライド部材２６にストッパユニット２８を保持させたが、本発明はこれに限らず、ストッパユニット２８を第１のスライド部材２５側に保持させる一方、第２のスライド部材２６に第１の係合用貫通穴３７と同様の貫通穴を設けてもよい。
【００３０】
また、第１のスライド部材２５としては、前述した形状の他に、後側に開放部を備えた平面視略円形状や平面視略楕円形状等の外形とすることもできる。更に、第２のスライド部材２６としては、上下両端側のみが開放する角筒状とすることもできる。
【００３１】
更に、第１の係合用貫通穴３７，３７を上下方向に増減し、前記実施例と異なるピッチでの長さ調節を行えるようにすることもできる。
【００３２】
また、前記係合部材４７，４７は、前記図示例の片状に限定されず、第１の係合用貫通穴３７，３７に係合可能となる限りにおいて、ブロック状、球状等種々の形状のものを採用することができる。更に、係合部材４７を一個若しくは三個以上として、一箇所若しくは三箇所以上の第１の係合用貫通穴３７に係合する構成としてもよい。また、係合部材４７，４７と操作部４８とを横一列に配置しなくても良いが、係合部材４７，４７と操作部４８とを横一列に配置した方が、第１及び第２のスライド部材２５，２６の全体長さの調節をより多段階で行うことが可能になる。
【００３３】
更に、前記付勢部材５１としては、前述した板ばねに限定されるものではなく、コイルばね等のように、係合部材４７及び操作部４８を付勢可能な部材であれば何でも良い。
【００３４】
また、前記実施例では、マーチングキーボード１０に本発明を適用しているが、これに限らず、本発明は、他の楽器や物品の担ぎ用具等にも適用することができる他、左右方向や前後方向の長さ調節を必要とするスライド部材に適用することも可能である。
【００３５】
【発明の効果】
以上説明したように、本発明によれば、長さ方向に相対移動可能な第１及び第２のスライド部材の何れか一方に保持されるストッパユニットに、何れか他方のスライド部材の長さ方向に複数段形成された被係合部に選択的に係合する係合部材と、この係合部材と被係合部との係合を押圧操作で解除可能な操作部とを備え、当該操作部を押圧操作することで第１及び第２のスライド部材の全体長さを調節する構成としたから、従来構造よりも、第１及び第２のスライド部材の全体長さの調節を簡単に行うことができ、且つ、第１及び第２のスライド部材を固定する部材の紛失を防止することができる。
【００３６】
また、前記係合部材を被係合部に係合させる方向に付勢する付勢部材を含んで構成したから、係合部材と被係合部との係合を一層強固に行うことができ、しかも、第１及び第２のスライド部材の全体長さの調節を一層簡単に行うことができる。
【００３７】
更に、長さ方向に略直交する方向における第１及び第２のスライド部材の相対移動を規制する規制部を設けたから、第１及び第２のスライド部材のガタツキを効果的に防止することができる。
【００３８】
また、前記係合部材を複数設け、各係合部材と操作部を前記長さ方向に略直交する横一列に配置したから、第１及び第２のスライド部材の限られた長さでより細かい長さ調節が可能になる。
【図面の簡単な説明】
【図１】  本発明に係るスライド式長さ調節構造が適用されたマーチングキーボードの概略斜視図。
【図２】  図１の要部分解斜視図。
【図３】  スライドユニットの概略正面図。
【図４】  図３のＡ−Ａ線矢視拡大断面図。
【図５】  図３のＢ−Ｂ線矢視拡大断面図。
【図６】  図３のＣ−Ｃ線矢視拡大断面図。
【図７】  スライドユニットが取り付けられた第２のスライド部材を後部側から見た概略斜視図。
【図８】  従来例に係るマーチングキーボードの概略斜視図。
【図９】  図８の一部構成要素の分解斜視図。
【図１０】  他の従来例に係る図９と同様の分解斜視図。
【符号の説明】
２５・・・第１のスライド部材、２６・・・第２のスライド部材、２８・・・ストッパユニット、３３・・・側部（規制部）、３４・・・背部（規制部）、３７・・・第１の係合用貫通穴（被係合部）、４７・・・係合部材、４８・・・操作部、５１・・・付勢部材
【図１】
0003888199.tif 000002
【図２】
0003888199.tif 000003
【図３】
0003888199.tif 000004
【図４】
0003888199.tif 000005
【図５】
0003888199.tif 000006
【図６】
0003888199.tif 000007
【図７】
0003888199.tif 000008
【図８】
0003888199.tif 000009
【図９】
0003888199.tif 000010
【図１０】
0003888199.tif 000011